(57)【要約】【課題】光記録媒体から反射された光を受光する素子の位置を調整することによって、良好な光記録媒体の再生を行うことが可能な光記録再生装置を提供する。【解決手段】光ディスク装置１は、ピックアップ２、ミラー３、浮上型光学ヘッド４を備えている。ピックアップ２は、光源５、第１ビームスプリッタ６、第２ビームスプリッタ７、ウォラストンプリズム８、第１反射光受光素子９、第２反射光受光素子１０、第３反射光受光素子１１、位置調整素子１２を備えている。位置調整素子１２を用いて、第１反射光受光素子９および第２反射光受光素子１０の位置を調整する。【選択図】  図１
2004281000.tif 000002
【特許請求の範囲】
【請求項１】
光源と、該光源から出射された光を光記録媒体に集光する集光手段と、該光記録媒体にて反射された光を受光する反射光受光手段とを備えた光記録再生装置において、
上記反射光受光手段の位置を調整する位置調整手段をさらに備えていることを特徴とする光記録再生装置。
【請求項２】
上記集光手段は、浮上型光学ヘッドであることを特徴とする請求項１に記載の光記録再生装置。
【請求項３】
上記位置調整手段は、反射光受光手段が最大量の光を受光するように上記反射光受光手段の位置を調整するようになっていることを特徴とする請求項１または２に記載の光記録再生装置。
【請求項４】
上記反射光受光手段の位置を調整するための位置調整信号を生成する信号生成手段をさらに備え、上記位置調整手段は、上記信号生成手段によって生成された位置調整信号に基づいて反射光受光手段の位置を調整するようになっていることを特徴とする請求項１ないし３のいずれか１項に記載の光記録再生装置。
【請求項５】
上記光記録媒体を再生する前に、上記位置調整手段が反射光受光手段の位置を調整するようになっていることを特徴とする請求項１ないし４のいずれか１項に記載の光記録再生装置。
【請求項６】
上記光記録媒体を再生しながら、上記位置調整手段が反射光受光手段の位置を調整するようになっていることを特徴とする請求項１ないし４のいずれか１項に記載の光記録再生装置。
【請求項７】
上記反射光受光手段は、光記録媒体に記録された再生信号を検出する再生信号検出用受光素子であることを特徴とする請求項１ないし６のいずれか１項に記載の光記録再生装置。
【請求項８】
上記光記録媒体は、光磁気記録媒体であって、
上記再生信号検出用受光素子は、光磁気記録媒体に記録された再生信号を検出する受光素子であることを特徴とする請求項７に記載の光記録再生装置。
【請求項９】
上記再生信号検出用受光素子は、光記録媒体に凹凸を形成することにより記録された再生信号を検出する受光素子であることを特徴とする請求項７に記載の光記録再生装置。
【発明の詳細な説明】
【０００１】
【発明の属する技術分野】
本発明は、光記録再生装置に関するものである。より詳しくは、例えばレーザ光を用いて再生、記録または消去を行う光記録再生装置に関するものである。
【０００２】
【従来の技術】
現在、レーザ光を使用して再生、記録または消去等が行われる光ディスクとしては、書き換え型、ライトワンス型、再生専用型等の光ディスクがあり、これらは民生用またはデータのバックアップ用として市販され普及している。これらの光ディスクを用いた光ディスク装置は、情報の再生、記録または消去を行う場合、一般に光ディスクの基板面側からレーザ光を照射するような構成となっている。
【０００３】
一方で、上記光ディスクよりも高密度記録および再生を目指した、次世代型の光ディスクの研究開発が行われており、鋭意実用化が目指されている。光ディスクを高密度化するためには、光ディスクに照射するレーザ光を短波長化し、レーザ光を光ディスク上に集光する対物レンズを高ＮＡ化する必要がある。一方で、レーザ光の短波長化、および対物レンズの高ＮＡ化を行った場合、レーザ光を対物レンズから光ディスク上に照射する際の焦点距離は短くなること、また光ディスクには傾斜（チルト）があること等を考慮して、光ディスクの基板面側からレーザ光を照射するのではなく、光ディスクの基板面側とは反対側の膜面側からレーザ光を照射することとしている。このため、スライダ上に対物レンズを設けた浮上型光学ヘッドを用いることが検討されている。
【０００４】
浮上型光学ヘッドを用いて、光磁気ディスクを再生する方法について、図４に基づき説明する。図４は、浮上型光学ヘッドを用いた光ディスク装置１０１の概略を示すブロック図である。図４に示すように、光ディスク装置１０１は、ピックアップ１０２、ミラー１０３および浮上型光学ヘッド１０４を備えている。ピックアップ１０２は、光源１０５、第１ビームスプリッタ１０６、第２ビームスプリッタ１０７、ウォラストンプリズム１０８、第１反射光受光素子１０９、第２反射光受光素子１１０、第３反射光受光素子１１１を備えている。また、浮上型光学ヘッド１０４は、対物レンズ１１２、スライダ１１３、およびサスペンション１１４を備えている。
【０００５】
光源１０５から出射されたレーザ光は、第１ビームスプリッタ１０６を透過してミラー１０３にて反射される。ミラー１０３にて反射されたレーザ光は、スライダ１１３に搭載された対物レンズ１１２を介して光磁気ディスク１１５に照射される。光磁気ディスク１１５へのレーザ光の照射は、光磁気ディスク１１５の基板面側とは反対側の膜面側から行われる。また、スライダ１１３は、板バネからなるサスペンション１１４に取り付けられており、光磁気ディスク１１５の回転線速を一定にして、浮上型光学ヘッド１０４の浮上量を一定に保つことによって、光磁気ディスク１１５へのフォーカシングを行っている。なお、光源１０５から出射されるレーザ光は、青紫色半導体レーザ光を用い、その波長（λ）は、４００〜４１０ｎｍとする。対物レンズ１１２は、例えばレンズ間隔が一定の２枚のレンズを用いて構成され、そのＮＡは０．８〜０．９とする。
【０００６】
光磁気ディスク１１５に照射されたレーザ光は、光磁気ディスク１１５にて反射される。光磁気ディスク１１５にて反射された反射レーザ光は、ミラー１０３にて反射された後に、第１ビームスプリッタ１０６にて反射され、第２ビームスプリッタ１０７に入射する。第２ビームスプリッタ１０７に入射した反射レーザ光は、第２ビームスプリッタ１０７にてウォラストンプリズム１０８に導かれる反射レーザ光と、第３反射光受光素子１１１に導かれる反射レーザ光とに分離される。第３反射光受光素子１１１に入射した光は、電気信号に変換されトラックエラー信号が生成される。ウォラストンプリズム１０８に入射した反射レーザ光は、第１反射光受光素子１０９に導かれる反射レーザ光と、第２反射光受光素子１１０に導かれる反射レーザ光とに分離される。第１反射光受光素子１０９および第２反射光受光素子１１０に入射した反射レーザ光は電気信号に変換され、その差動信号から光磁気ディスク１１５上に記録された光磁気再生信号が生成され、光磁気ディスクの再生が行われる。
【０００７】
【特許文献１】
特開２００１−２７３６６８号公報（公開日：平成１３年１０月５日）
【０００８】
【発明が解決しようとする課題】
上記の方法にて光磁気再生信号を生成する場合には、第１反射光受光素子１０９に入射する光の量と、第２反射光受光素子１１０に入射する光の量とがほぼ等しいときに最も大きな信号レベルの光磁気再生信号を得ることができる。
【０００９】
このため、光ディスクの基板面側からレーザ光を照射する光ディスク装置の場合では、最大レベルの再生信号を得ることができるように、光ピックアップを組み立てる際に調整を行う。この光ディスク装置は、対物レンズから光ディスクにレーザ光を照射する焦点距離が長いため、一度調整を行うと、光ディスクのうねり、チルト、面振れまたは形状等による影響が少ない。このため、他の光ディスクに交換して再生した場合であっても調整時に使用した光ディスクと同様の大きなレベルの再生信号を得ることができる。
【００１０】
しかしながら、上記のように浮上型光学ヘッドを用いて光ディスクの基板面側とは反対側の膜面側からレーザ光を照射し、再生信号を検出する光ディスク装置においては、その焦点距離が基板面側からレーザ光を照射する光ディスク装置の焦点距離よりも短い。このため、光ディスク毎に有する光ディスク固有のうねり、チルト、面振れまたは極わずかな形状差によっても影響を受けてしまい、浮上型光学ヘッドの浮上状態は光ディスク毎に異なってくる。
【００１１】
浮上型光学ヘッドの浮上状態が異なることによって、光ディスクへのレーザ光の入射状態が変わってしまう。これに伴い、光ディスクからの反射光の反射状態も変わってしまう。したがって、一度、ある光ディスクを用いてピックアップの調整を行ったとしても、他の光ディスクを再生しようとした場合、ピックアップが最適な状態に調整されていない可能性があり、良好な再生を行うことができないという問題点を有している。
【００１２】
本発明は、上記の問題点を解決するためになされたもので、浮上型光学ヘッドを用いた光記録再生装置であっても、光記録媒体から反射された光を受光する素子の位置を調整し、素子に入射する光量を常に最大とすることによって、良好な光記録媒体の再生、記録または消去を行うことが可能な光記録再生装置を提供することを目的とする。
【００１３】
【課題を解決するための手段】
本発明の光記録再生装置は、上記課題を解決するために、光源と、該光源から出射された光を光記録媒体に集光する集光手段と、該光記録媒体にて反射された光を受光する反射光受光手段とを備えた光記録再生装置において、上記反射光受光手段の位置を調整する位置調整手段をさらに備えていることを特徴としている。
【００１４】
上記構成によれば、位置調整手段を備えていることにより反射光受光手段の位置を調整することが可能となる。光記録再生装置は、光源から出射された光を光記録媒体に集光し、光記録媒体にて反射された光を反射光受光手段にて受光するようになっており、これにより、例えば光記録媒体に記録された信号を再生し、光記録媒体に信号を記録し、または光記録媒体に記録された信号を消去することができるようになっている。また、例えば光記録媒体に記録された信号を再生する場合、反射光受光手段が受光する光の量が多いほど再生信号レベルを大きくすることができる。したがって、上記構成によれば、位置調整手段によって反射光受光手段を最適な位置に調整することにより、反射光受光手段が受光する光の量を最大とすることが可能となり、その結果、良好な再生を行うことができる。
【００１５】
本発明の光記録再生装置は、上記構成に加え、上記集光手段は、浮上型光学ヘッドであることを特徴としている。光記録媒体は、各光記録媒体毎に異なるうねり、チルト、面振れまたは形状を有している。このため、浮上型光学ヘッドはこれらの影響を受けて浮上姿勢が変化してしまい、結果として反射光受光手段に入射する光量が低減してしまう場合がある。しかしながら、上記構成によれば、上記のような場合であっても反射光受光手段に入射する光量が低減することを回避することが可能となり、受光する光量を常に最大とすることができる。
【００１６】
本発明の光記録再生装置は、上記構成に加え、上記位置調整手段は、反射光受光手段が最大量の光を受光するように上記反射光受光手段の位置を調整するようになっていることを特徴としている。上記構成によれば、反射光受光手段が受光する光量を最大とすることができるため、最大レベルの再生信号レベルを生成することができる。
【００１７】
本発明の光記録再生装置は、上記構成に加え、上記反射光受光手段の位置を調整するための位置調整信号を生成する信号生成手段をさらに備え、上記位置調整手段は、上記信号生成手段によって生成された位置調整信号に基づいて反射光受光手段の位置を調整するようになっていることを特徴としている。上記構成によれば、信号生成手段によって生成された信号に基づいて、位置調整手段が反射光受光手段の位置を調整することができる。これにより、光記録再生装置を複雑にすることなく、反射光受光手段の位置の調整を正確に行うことができる。
【００１８】
本発明の光記録再生装置は、上記構成に加え、上記光記録媒体を再生する前に、上記位置調整手段が反射光受光手段の位置を調整するようになっていることを特徴としている。上記構成によれば、反射光受光手段を最適な位置に調整した後に、光記録媒体に記録された情報を再生することができる。これにより、再生時に反射光受光手段が受光する反射光の光量を常に最大とすることができる。また、上記構成によれば、使用する光記録媒体が異なる場合であっても、光記録媒体毎に反射光受光手段の位置調整を行うため、光記録媒体毎に異なるうねり、チルト、面振れまたは形状の影響を受けて反射光受光手段の受光量が低減することを回避することができる。
【００１９】
本発明の光記録再生装置は、上記構成に加え、上記光記録媒体を再生しながら、上記位置調整手段が反射光受光手段の位置を調整するようになっていることを特徴としている。上記構成によれば、光記録媒体に記録された情報を再生しながら連続的に反射光受光手段を最適な位置に調整することができる。したがって、再生時に光記録再生装置に何らかの外乱の影響を受けた場合であっても、常に反射光受光手段が受光する反射光の光量を最大とすることができる。
【００２０】
本発明の光記録再生装置は、上記構成に加え、上記反射光受光手段は、光記録媒体に記録された再生信号を検出する再生信号検出用受光素子であることを特徴としている。上記構成によれば、再生信号検出用受光素子を最適な位置に調整することが可能となるため、光記録媒体に記録された再生信号を常に良好に再生することができる。
【００２１】
本発明の光記録再生装置は、上記構成に加え、上記光記録媒体は、光磁気記録媒体であって、上記再生信号検出用受光素子は、光磁気記録媒体に記録された再生信号を検出する受光素子であることを特徴としている。上記構成によれば、受光素子を最適な位置に調整することが可能となるため、光磁気記録媒体に記録された再生信号を常に良好に再生することができる。
【００２２】
本発明の光記録再生装置は、上記構成に加え、上記再生信号検出用受光素子は、光記録媒体に凹凸を形成することにより記録された再生信号を検出する受光素子であることを特徴としている。上記構成によれば、受光素子を最適な位置に調整することが可能となるため、例えば再生専用型の光記録媒体に凹凸を形成することにより記録された再生信号を常に良好に再生することができる。
【００２３】
【発明の実施の形態】
〔実施の形態１〕
本発明の第１の実施の形態について図１および図２に基づいて説明する。
【００２４】
図１は、本実施の形態における光ディスク装置（光記録再生装置）１の概略的構成を示すブロック図である。図１に示すように、本実施の形態における光ディスク装置１は、ピックアップ２、ミラー３、浮上型光学ヘッド（集光手段）４を備えている。また、本実施の形態においては、光ディスクとして光磁気ディスク（光記録媒体）１６を用いて説明する。
【００２５】
ピックアップ２は、光源５、第１ビームスプリッタ６、第２ビームスプリッタ７、ウォラストンプリズム８、第１反射光受光素子（反射光受光手段）９、第２反射光受光素子（反射光受光手段）１０、第３反射光受光素子（信号生成手段）１１、位置調整素子（位置調整手段）１２を備えている。光源５は、光ディスク装置１が光磁気ディスク１６に照射するレーザ光を出射するものである。本実施の形態では、光源５として青紫色半導体レーザを用いており、光源５から出射される青紫色半導体レーザ光の波長（λ）は、４００〜４１０ｎｍとなっている。第１ビームスプリッタ６は、光源５から出射されたレーザ光を透過してミラー３に導くとともに、後述する光磁気ディスク１６にて反射されたレーザ光（以下、反射レーザ光という）を反射し、第２ビームスプリッタ７に導くようになっている。第２ビームスプリッタ７は、１つのレーザ光を、分離した２つのレーザ光に分割するものであり、第１ビームスプリッタ６より入射した反射レーザ光をウォラストンプリズム８に導く反射レーザ光と、第３反射光受光素子１１に導く反射レーザ光とに分割するようになっている。ウォラストンプリズム８は、１つのレーザ光を２つのレーザ光に分離するためのものであり、ウォラストンプリズム８に入射した反射レーザ光を分離し、第１反射光受光素子９と第２反射光受光素子１０とに導くようになっている。第１反射光受光素子９および第２反射光受光素子１０は、入射した反射レーザ光を電気信号に変換し、その差動信号から光磁気ディスク１６に記録された光磁気再生信号を生成するようになっている。第３反射光受光素子１１は、第２ビームスプリッタ７より入射した反射レーザ光を電気信号に変換し、トラックエラー信号および位置調整信号を生成するようになっている。位置調整素子１２は、例えばピエゾ素子からなり、第３反射光受光素子１１にて生成された位置調整信号に基づいて、第１反射光受光素子９および第２反射光受光素子１０を最適な位置に調整するものである。
【００２６】
ミラー３は、ピックアップ２から出射されたレーザ光を反射し、浮上型光学ヘッド４に導くものである。浮上型光学ヘッド４は、対物レンズ１３、スライダ１４、サスペンション１５、磁気コイル（図示せず）を備えており、ミラー３にて反射されたレーザ光を光磁気ディスク１６に照射するものである。対物レンズ１３は、スライダ１４上に搭載されており、ミラー４にて反射されたレーザ光を集光するようになっている。また、対物レンズ１３は、本実施の形態ではレンズ間隔が一定の２枚のレンズから構成され、開口数（ＮＡ）が０．８〜０．９となっている。スライダ１４は、板バネからなるサスペンション１５に取り付けられている。これにより、光磁気ディスク１６の回転線速を一定にし、浮上型光学ヘッド４の浮上量を一定に保つことによって、光磁気ディスク１６に照射するレーザ光のフォーカシングを行うようになっている。なお、光ディスク装置１は、図示しない制御部（制御手段）を有しており、上記各部材を制御するようになっている。
【００２７】
次に、上記構成を有する光ディスク装置１が、光磁気ディスク１６に記録された信号を検出し、再生する方法について説明する。
【００２８】
光源５から出射されたレーザ光は第１ビームスプリッタ６を透過し、ミラー３にて反射されて対物レンズ１３に入射する。対物レンズ１３に入射したレーザ光は、光磁気ディスク１６の基板面側とは反対側の膜面側から光磁気ディスク１６に照射される。光磁気ディスク１６に照射されたレーザ光は、光磁気ディスク１６にて反射されて反射レーザ光となる。反射レーザ光は、対物レンズ１３を透過した後に、ミラー３にて反射され、第１ビームスプリッタ６に入射する。第１ビームスプリッタ６に入射した反射レーザ光は、第１ビームスプリッタ６にて反射され、第２ビームスプリッタ７に導かれる。第２ビームスプリッタ７に入射した反射レーザ光は、２のレーザ光に分割され、ウォラストンプリズム８と第３反射光受光素子１１とに導かれる。ウォラストンプリズム８に入射した反射レーザ光は、さらに２つのレーザ光に分離され、第１反射光受光素子９および第２反射光受光素子１０に入射する。第１反射光受光素子９および第２反射光受光素子１０は、入射した反射レーザ光を電気信号に変換し、その差動信号から光磁気ディスク１６に記録された光磁気再生信号を生成する。光ディスク装置１は、光磁気再生信号に基づいて光磁気ディスク１６に記録された情報を再生する。
【００２９】
なお、光磁気ディスク１６に光磁気再生信号として記録された情報を再生する際、最大レベルの光磁気再生信号を効率よく得るために、第１反射光受光素子９、および第２反射光受光素子１０の位置調整を行う。この位置調整は次のように行われる。まず、第３反射光受光素子１１が、入射した反射レーザ光を電気信号に変換し、トラックエラー信号および位置調整信号を生成する。生成されたトラックエラー信号に基づいて、浮上型光学ヘッド４の位置を調整し、いわゆるトラッキングを行う。また、第３反射光受光素子１１によって生成された位置調整信号に基づいて、位置調整素子１２が、第１反射光受光素子９および第２反射光受光素子１０の位置を、反射レーザ光を受光するために最適な位置となるように調整する。
【００３０】
ここで、上記トラッキングについて説明する。図２は、第３反射光受光素子１１の構造を模式的に示した平面図である。図２に示すように、第３反射光受光素子１１は、４分割されたフォトダイオード（４Ｄ−ＰＤ）から構成されている。４Ｄ−ＰＤは、互いに面積の等しい４つのＰＤ（図２に示すＡ、Ｂ、Ｃ、Ｄ）に分割されている。
【００３１】
光磁気ディスク１６に照射される光の位置が適切なとき、反射レーザ光は第３反射光受光素子１１の中心に入射するため、４つの各ＰＤ（Ａ、Ｂ、Ｃ、Ｄ）にて受光する光量は等しくなる。これに対して、例えば、光磁気ディスク１６に照射されるレーザ光の位置が、適切な位置から光磁気ディスク１６の半径方向にずれている場合、第３反射光受光素子１１における反射レーザ光の受光位置は、中心から光磁気１６ディスクの半径方向にずれてしまうため、４つのＰＤが受光する反射レーザ光の光量はそれぞれ異なる。すなわち、（Ａ＋Ｂ）＞（Ｃ＋Ｄ）または（Ａ＋Ｂ）＜（Ｃ＋Ｄ）のように、受光する反射レーザ光の光量に差が生じることになる（Ａが受光した光量とＢが受光した光量との合計を（Ａ＋Ｂ）とし、他の組み合わせについても同様とする。以下同じ）。トラッキングは、（Ａ＋Ｂ）と（Ｃ＋Ｄ）とで差が生じた場合に、この差をなくすようにフィードバックをかけて、浮上型光学ヘッド４の位置を調整することにより行われる。
【００３２】
次に、第１反射光受光素子９および第２反射光受光素子１０の位置調整方法について説明する。本実施の形態のように浮上型光学ヘッド４を用いた光ディスク装置１の場合、浮上型光学ヘッド４から光磁気ディスク１６にレーザ光を照射する焦点距離が短く、浮上型光学ヘッド４は光磁気ディスク１６の数μｍ上を浮上している。したがって、光磁気ディスク１６固有のうねりまたはチルト、若しくは光磁気ディスク１６回転時の面振れ等が、浮上型光学ヘッド４の浮上姿勢に大きな影響を与えてしまう。このため、ある光磁気ディスクを用いたときに、第１反射光受光素子９、第２反射光受光素子１０、および第３反射光受光素子１１（以下、本実施の形態において各反射光受光素子９・１０・１１という）に対して入射した反射レーザ光の位置が適切な場合であっても、他の光磁気ディスクを用いたときには、浮上型光学ヘッド４の浮上状態は変わってしまい、各反射光受光素子９・１０・１１に入射する反射レーザ光の入射位置が適切な位置からずれてしまうことがある。
【００３３】
上述のように、光磁気再生信号は、第１反射光受光素子９および第２反射光受光素子１０に入射した反射レーザ光を電気信号に変換し、これらの差動信号から生成される。したがって、第１反射光受光素子９に入射した反射レーザ光の光量と、第２反射光受光素子１０に入射した反射レーザ光の光量とがほぼ等しいときに最も大きな光磁気再生信号を得ることができる。しかしながら、各反射光受光素子９・１０・１１に入射する反射レーザ光の入射位置が光磁気ディスク毎に変わってしまうと、小さな光磁気再生信号しか得ることができない、若しくは全く光磁気再生信号を得ることができない可能性もある。
【００３４】
そこで、第１反射光受光素子９および第２反射光受光素子１０に入射する反射レーザ光の光量が最大かつほぼ同量となるように、第３反射光受光素子１１から位置調整信号を生成し、この位置調整信号に基づき、位置調整素子１２を用いて第１反射光受光素子９および第２反射光受光素子１０の位置を調整する。第３反射光受光素子１１は、トラッキングを行うためのトラックエラー信号を生成するとともに、本発明に係る第１反射光受光素子９および第２反射光受光素子１０の位置調整を行う位置調整信号を生成することができる。なぜなら、上述のように第３反射光受光素子１１は４Ｄ−ＰＤからなっているため、トラッキング用に光磁気ディスクの半径方向のずれを検出するとともに、周方向のずれも検出することが可能である。すなわち、（Ａ＋Ｄ）と（Ｂ＋Ｃ）との光量差を比較することにより、周方向のずれを検出できる。このように、第３反射光受光素子１１の（Ａ＋Ｂ）と（Ｃ＋Ｄ）とで差が生じなくなるように、または（Ａ＋Ｄ）と（Ｂ＋Ｃ）とで差が生じなくなるように、第１反射光受光素子９と第２反射光受光素子１０との位置を調整する。これにより、第１反射光受光素子９および第２反射光受光素子１０に入射する反射レーザ光の光量を最大かつほぼ同量とすることができる。各反射光受光素子９・１０・１１に入射する反射レーザ光は、同一光路から分岐したレーザ光である。このため、第３反射光受光素子１１に入射した反射レーザ光のずれ方向およびずれ量と、第１反射光受光素子９および第２反射光受光素子１０に入射した反射レーザ光のずれ方向およびずれ量とは１対１に対応しているので、簡単に第１反射光受光素子９および第２反射光受光素子１０の位置調整を行うことができる。さらに、信号生成手段は、トラッキング信号生成手段とかねているので、装置が複雑にならない。
（実施例１）
浮上型光学ヘッド４、および各反射光受光素子９・１０・１１の位置調整を行った後に、第１反射光受光素子９および第２反射光受光素子１０、並びに第３反射光受光素子１１の各ＰＤが受光した反射レーザ光の光量の変化について調べた。すなわち、本実施例では光磁気ディスクを再生する前に、位置調整素子１２が第１反射光受光素子９および第２反射光受光素子１０の位置を調整しており、制御部が位置調整素子１２の動作終了後に第１反射光受光素子９および第２反射光受光素子１０を動作させるように制御している。その結果を表１に示す。
【００３５】
【表１】
2004281000.tif 000003
【００３６】
本実施例は、ポリカーボネート基板上に、Ａｌ合金からなる放熱層と、ＡｌＮからなる第２透明誘電体層と、ＴｂＦｅＣｏからなる記録層と、ＡｌＮからなる第１透明誘電体層と、保護コート層とがこの順に形成された光磁気ディスクを用いている。光磁気ディスクへのレーザ光の照射は、保護コート層側から行われる。
【００３７】
まず、上記構成からなる光磁気ディスク（第１光ディスク）を用いて測定を行った。その結果、表１に示すように、第１反射光受光素子９および第２反射光受光素子１０には４５ｍＶの入射光量が測定され、第３反射光受光素子１１の各ＰＤには５０ｍＶの入射光量が測定された。なお、線速４ｍ／ｓで浮上型光学ヘッド４を浮上させ、再生パワー１．５ｍＷで測定を行い、位置調整後、ＭＬ（Ｍａｒｋ  Ｌｅｎｇｔｈ）＝０．５μｍでＣ／Ｎ（Ｃａｒｒｉｅｒ  ｔｏ  Ｎｏｉｓｅ  ｒａｔｉｏ）４４ｄＢが得られた。
【００３８】
次に、上記第１光ディスクを取り外し、同一の構成を有する別の光磁気ディスク（第２光ディスク）を取り付けて同様の測定を行った。その結果、表１に示すように、各反射光受光素子９・１０・１１への入射光量の初期値が第１光ディスクの場合と異なり、またＣ／Ｎは４２ｄＢへ低下した。このため、第３反射光受光素子１１にて検出されたずれ方向およびずれ量を位置調整素子１２にフィードバックして、第１反射光受光素子９および第２反射光受光素子１０の位置調整を行ったところ、上記第１光ディスクと同様に各反射光受光素子９・１０・１１へ均等に反射レーザ光を入射させることができた。そして、第２光ディスクを再生したところ、上記第１光ディスクと同様の再生信号レベルを得ることができた。
【００３９】
なお、初期値の相違およびＣ／Ｎの低下は、用いた光磁気ディスク毎にうねり、チルト、面振れおよび形状が異なるため、その影響を受けて浮上型光学ヘッド４の浮上状態が変わり、各反射光受光素子９・１０・１１に入射する反射レーザ光の入射位置がずれてしまったためと考えられる。しかしながら、入射光量を初期値に補正することができたことから、位置調整素子１２によって第１反射光受光素子９および第２反射光受光素子１０の位置を最適な状態にできたことが分かる。
（実施例２）
本実施例は、上記実施例１と同様に、浮上型光学ヘッド４、および各反射光受光素子９・１０・１１の位置を調整し、第１反射光受光素子９および第２反射光受光素子１０、並びに第３反射光受光素子１０の各ＰＤが受光した反射レーザ光の光量の変化について調べたものである。実施例１では光磁気ディスクを交換した後に位置調整を行ったのに対して、本実施例は光磁気ディスクを再生しながら位置調整を行うものである。すなわち、制御部が位置調整素子１２を動作させながら第１反射光受光素子９および第２反射光受光素子１０を動作させるように制御している。浮上型光学ヘッド４を用いた光ディスク装置１では、浮上型光学ヘッド４と光磁気ディスクとの距離が数μｍ程度であるため、何らかの外乱によって浮上型光学ヘッド４の浮上姿勢が変化してしまうことが考えられる。このため、第２光ディスクを再生しながら浮上型光学ヘッド４、第１反射光受光素子９および第２反射光受光素子１０の位置調整を連続的に行った。その結果を表２に示す。
【００４０】
【表２】
2004281000.tif 000004
【００４１】
表２に示すように、第２光ディスクを２時間程度再生し、その間に故意に外乱を与えながら測定を行ったものの、各反射光受光素子９・１０・１１に入射した反射レーザ光の光量は常に一定であることが分かる。すなわち、第２光ディスクの再生中であっても、浮上型光学ヘッド４、第１反射光受光素子９および第２反射光受光素子１０の位置調整を行うことによって、各反射光受光素子９・１０・１１には常に最適な位置に反射レーザ光が入射されることが分かった。
【００４２】
〔実施の形態２〕
本発明の第２の実施の形態について図３に基づいて説明する。上記実施の形態１における光ディスク装置１では、ウォラストンプリズム８と、光磁気再生信号を生成する２つの反射光受光素子９・１０と、２つの反射光受光素子９・１０の位置を調整する位置調整素子１２とを有する構成であるのに対して、本実施の形態における光ディスク装置（光記録再生装置）１７は、ウォラストンプリズムを備えておらず、光ディスクの再生信号を生成する反射光受光素子（反射光受光手段）１８を１つ有し、反射光受光素子１８の位置を調整する位置調整素子（位置調整手段）１９を有する構成である。光ディスク装置１７の構成は、上記実施の形態１にて説明した光ディスク装置１の構成と比較して、上記の点で相違するのみで、他の構成については同じである。このため、説明の便宜上、上記実施の形態１にて示した部材に関する説明を省略する。
【００４３】
図３は、本実施の形態における光ディスク装置１７の概略的構成を示すブロック図である。本実施の形態においては、再生専用型の光ディスク（光記録媒体）２０を用いた場合について説明する。
【００４４】
図３に示す光ディスク装置１７は、ピックアップ２、ミラー３、浮上型光学ヘッド４を備えている。また、ピックアップ２は、光源５、第１ビームスプリッタ６、第２ビームスプリッタ７、第３反射光受光素子１１、第４反射光受光素子１８、位置調整素子１９を備えており、浮上型光学ヘッド４は、対物レンズ１３、スライダ１４、サスペンション１５を備えている。第４反射光受光素子１８は、上記第１反射光受光素子９および第２反射光受光素子１０と同様の機能を有し、入射した反射レーザ光を電気信号に変換し、再生信号を生成するものである。位置調整素子１９は、第４反射光受光素子１８の位置を調整するものであり、ピエゾ素子からなっている。
【００４５】
次に光ディスク装置１７が光ディスク２０に記録された信号を検出し、再生する方法について説明する。光源５から出射されたレーザ光は第１ビームスプリッタ６を透過し、ミラー３にて反射されて対物レンズ１３に入射する。対物レンズ１３に入射したレーザ光は、光ディスク２０の基板面側とは反対側の膜面側から光ディスク２０に照射される。光ディスク２０に照射されたレーザ光は、光ディスク２０にて反射されて反射レーザ光となる。反射レーザ光は、対物レンズ１３を透過した後に、ミラー３にて反射され、第１ビームスプリッタ６に入射する。第１ビームスプリッタ６に入射した反射レーザ光は、第１ビームスプリッタ６にて反射され、第２ビームスプリッタ７に導かれる。第２ビームスプリッタ７に入射した反射レーザ光は、２のレーザ光に分割され、第３反射光受光素子１１と第４反射光受光素子１８とに導かれる。再生専用型の光ディスク２０には、あらかじめ光ディスク２０に形成されたピットとして情報が記録されており、第４反射光受光素子１８は、ピットの有無による反射レーザ光の光量の差を読み取ることにより再生信号を作成する。以下、この再生信号をＲＯＭ（Ｒｅａｄ  Ｏｎｌｙ  Ｍｅｍｏｒｙ）信号と呼ぶ。光ディスク装置１７は、ＲＯＭ信号に基づいて光ディスク２０に記録された情報を再生する。
【００４６】
第３反射光受光素子１１は、上記実施の形態１と同様に、入射した反射レーザ光を電気信号に変換してトラックエラー信号および位置調整信号を生成し、トラックエラー信号に基づいて浮上型光学ヘッド４の位置を調整することによりトラッキングを行う。また、位置調整素子１９は、生成された位置調整信号に基づいて、第４反射光受光素子１８を最適な位置に調整する。これにより、第４反射光受光素子１８に入射する反射レーザ光の光量を最大にすることができる。
（実施例３）
本実施例では、浮上型光学ヘッド４、第３反射光受光素子１１、および第４反射光受光素子１８の位置調整を行った後に、第４反射光受光素子１８と第３反射光受光素子１１の各ＰＤとが受光した反射レーザ光の光量の変化について調べた。すなわち、本実施例では光磁気ディスクを再生する前に、位置調整素子１９が第４反射光受光素子１８の位置を調整しており、制御部が位置調整素子１９の動作終了後に第４反射光受光素子１８を動作させるように制御している。その結果を表３に示す。
【００４７】
【表３】
2004281000.tif 000005
【００４８】
本実施例では、あらかじめピットが形成されている光ディスク（第３光ディスク）を用いて測定を行った。その結果、表３に示すように、第４反射光受光素子１８には８０ｍＶの入射光量が測定され、第３反射光受光素子１１の各ＰＤには６０ｍＶの入射光量が測定された。なお、線速４ｍ／ｓで浮上型光学ヘッド４を浮上させ、再生パワー１．５ｍＷで測定を行い、位置調整後、ＭＬ＝０．５μｍでＣ／Ｎ４５ｄＢが得られた。
【００４９】
次に、上記第３光ディスクを取り外し、同一の構成を有する別の光ディスク（第４光ディスク）を取り付けて同様の測定を行った。その結果、表３に示すように、第３反射光受光素子１１および第４反射光受光素子１８（以下、本実施の形態において各反射光受光素子１１・１８という）への入射光量の初期値が第３光ディスクの場合と異なり、またＣ／Ｎは４３ｄＢへ低下した。このため、第３反射光受光素子１１にて検出されたずれ方向およびずれ量を位置調整素子１９にフィードバックして、第４反射光受光素子１８の位置調整を行ったところ、上記第３光ディスクと同様に各反射光受光素子１１・１８へ均等に反射レーザ光を入射させることができた。そして、第４光ディスクを再生したところ、上記第３光ディスクと同様の再生信号レベルを得ることができた。
【００５０】
なお、初期値の相違およびＣ／Ｎの低下は、実施の形態１と同様に、用いた光ディスク毎にうねり、チルト、面振れおよび形状が異なるため、その影響を受けて浮上型光学ヘッド４の浮上状態が変わり、各反射光受光素子１１・１８に入射する反射レーザ光の入射位置がずれてしまったためと考えられる。しかしながら、入射光量を初期値に補正することができたことから、位置調整素子１９によって第４反射光受光素子１９の位置を最適な状態にできたことが分かる。
（実施例４）
本実施例は、上記実施例３と同様に、浮上型光学ヘッド４および各反射光受光素子１１・１８の位置を調整し、第４反射光受光素子１８と第３反射光受光素子１１の各ＰＤとに入射した反射レーザ光の光量の変化について調べたものである。実施例３では光ディスクを交換した後に位置調整を行ったのに対して、本実施例は光ディスクを再生しながら位置調整を行うものである。すなわち、制御部が位置調整素子１９を動作させながら第４反射光受光素子１８を動作させるように制御している。浮上型光学ヘッド４を用いた光ディスク装置１７では、浮上型光学ヘッド４と光ディスクとの距離が数μｍ程度であるため、何らかの外乱によって浮上型光学ヘッド４の浮上姿勢が変化してしまうことが考えられる。このため、第４光ディスクを再生しながら浮上型光学ヘッド４および第４反射光受光素子１８の位置調整を連続的に行った。その結果を表４に示す。
【００５１】
【表４】
2004281000.tif 000006
【００５２】
表４に示すように、第４光ディスクを２時間程度再生し、その間に故意に外乱を与えながら測定を行ったものの、各反射光受光素子１１・１８に入射した反射レーザ光の光量は常に一定であることが分かる。すなわち、第４光ディスクの再生中であっても、浮上型光学ヘッド４および第４反射光受光素子１８の位置調整を行うことによって、各反射光受光素子１１・１８には常に最適な位置に反射レーザ光が入射されることが分かった。
【００５３】
なお、上記各実施の形態においては、光磁気ディスクまたは再生専用の光ディスクを用いた場合について説明したが、本発明はこれに限定されることはなく、例えば、相変化型光ディスクやライトワンス型光ディスク、または記録および消去が可能な光ディスクを用いた場合であっても同様に行うことができる。また、上記各実施の形態においては、光磁気ディスクまたは光ディスクを再生する際の反射光受光素子の位置調整について説明しているが、本発明はこれに限定されることはなく、記録時または消去時であっても同様な位置調整を有効に行うことができる。また、上記各実施の形態においては、記録再生用の光ディスク装置について説明したが、本発明はこれに限定されることはなく、記録用の光ディスク装置、または再生用の光ディスク装置としてもよい。
【００５４】
また、上記各実施の形態においては、位置調整素子へのフィードバック信号を位置調整信号から生成したが、本発明はこれに限定されることはなく、例えば、再生信号検出用の反射光受光素子を４Ｄ−ＰＤとし、この反射光受光素子にてフィードバック信号を生成することによって、位置調整を行うことも可能である。さらに、専用の位置検出用素子を別途設けた構成とすることによって、位置調整を行うことも可能である。
【００５５】
また、上記各実施の形態において用いたピックアップを、ホログラムを用いたピックアップとすることにより、再生信号検出用の反射光受光素子と、トラックエラー信号検出用の反射光受光素子とを一体化した反射光受光素子とすることができる。この場合、全ての反射光受光素子を一体化することができるので、位置調整素子を簡略化することもできるとともに、光ディスク装置を小型化することができる。
【００５６】
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５７】
【発明の効果】
以上のように、本発明の光記録再生装置は、反射光受光手段の位置を調整する位置調整手段をさらに備えている構成である。上記構成によれば、位置調整手段によって反射光受光手段を最適な位置に調整することにより、反射光受光手段が受光する光の量を最大とすることが可能となり、その結果、良好な再生を行うことができるという効果を奏する。
【００５８】
上記の光記録再生装置において、集光手段は、浮上型光学ヘッドである構成としてもよい。上記構成によれば、反射光受光手段の受光量の低減を回避することが可能となり、受光量を常に最大とすることができるという効果を奏する。
【００５９】
上記の光記録再生装置において、上記位置調整手段は、反射光受光手段が最大量の光を受光するように上記反射光受光手段の位置を調整するようになっている構成としてもよい。上記構成によれば、反射光受光手段が受光する光量を最大とすることができるため、最大レベルの再生信号レベルを生成することができるという効果を奏する。
【００６０】
上記の光記録再生装置において、上記反射光受光手段の位置を調整するための位置調整信号を生成する信号生成手段をさらに備え、上記位置調整手段は、上記信号生成手段によって生成された位置調整信号に基づいて反射光受光手段の位置を調整するようになっている構成としてもよい。上記構成によれば、光記録再生装置を複雑にすることなく、反射光受光手段の位置の調整を正確に行うことができるという効果を奏する。
【００６１】
上記の光記録再生装置において、上記光記録媒体を再生する前に、上記位置調整手段が反射光受光手段の位置を調整するようになっている構成としてもよい。上記構成によれば、再生時に反射光受光手段が受光する反射光の光量を常に最大とすることができるという効果を奏する。また、上記構成によれば、使用する光記録媒体が異なる場合であっても、光記録媒体毎に反射光受光手段の位置調整を行うため、光記録媒体毎に異なるうねり、チルト、面振れまたは形状の影響を受けて反射光受光手段の受光量が低減することを回避することができるという効果を併せて奏する。
【００６２】
上記の光記録再生装置において、上記光記録媒体を再生しながら、上記位置調整手段が反射光受光手段の位置を調整するようになっている構成としてもよい。上記構成によれば、再生時に光記録再生装置に何らかの外乱の影響を受けた場合であっても、常に反射光受光手段が受光する反射光の光量を最大とすることができるという効果を奏する。
【００６３】
上記の光記録再生装置において、上記反射光受光手段は、光記録媒体に記録された再生信号を検出する再生信号検出用受光素子である構成としてもよい。上記構成によれば、再生信号検出用受光素子を最適な位置に調整することが可能となるため、光記録媒体に記録された再生信号を常に良好に再生することができるという効果を奏する。
【００６４】
上記の光記録再生装置において、上記光記録媒体は、光磁気記録媒体であって、上記再生信号検出用受光素子は、光磁気記録媒体に記録された再生信号を検出する受光素子である構成としてもよい。上記構成によれば、受光素子を最適な位置に調整することが可能となるため、光磁気記録媒体に記録された再生信号を常に良好に再生することができるという効果を奏する。
【００６５】
上記の光記録再生装置において、上記再生信号検出用受光素子は、光記録媒体に凹凸を形成することにより記録された再生信号を検出する受光素子である構成としてもよい。上記構成によれば、受光素子を最適な位置に調整することが可能となるため、例えば再生専用型の光記録媒体に凹凸を形成することにより記録された再生信号を常に良好に再生することができるという効果を奏する。
【図面の簡単な説明】
【図１】本発明の実施の一形態における光ディスク装置の概略的構成を示すブロック図である。
【図２】上記光ディスク装置の第３反射光受光素子の構造を模式的に示した平面図である。
【図３】本発明の他の実施の形態における光ディスク装置の概略的構成を示すブロック図である。
【図４】従来の光ディスク装置の概略的構成を示すブロック図である。
【符号の説明】
１・１７    光ディスク装置（光記録再生装置）
４    浮上型光学ヘッド（集光手段）
５    光源
９    第１反射光受光素子（反射光受光手段）
１０    第２反射光受光素子（反射光受光手段）
１１    第３反射光受光素子（信号生成手段）
１２    位置調整素子（位置調整手段）
１６    光磁気ディスク（光記録媒体）
１８    第４反射光受光素子（反射光受光手段）
１９    位置調整素子（位置調整手段）
２０    光ディスク（光記録媒体）
【図１】
2004281000.tif 000007
【図２】
2004281000.tif 000008
【図３】
2004281000.tif 000009
【図４】
2004281000.tif 000010